(57)【特許請求の範囲】
【請求項１】
録画予約情報を実行可否フラグと関連付けて管理する予約部と、
前記予約部の録画予約情報に基づいて録画を実行する記録部と、
実行否フラグと関連付けられている録画予約情報が録画実行時刻に前記記録部にて実行されたかを判定し、その結果に基づいて前記予約部に管理情報を出力する予約休止実行判定部と、
を有する録画装置。
【請求項２】
前記予約部は、
繰返録画予約情報を実行可否フラグと関連付けて保持する繰返予約手段を有し、
前記予約休止実行判定部は、
実行否フラグと関連付けられた繰返録画予約情報が録画実行時刻に記録部にて実行されていないとの判定である場合に、前記予約部に対してその繰返録画予約情報と関連付けられている実行否フラグを実行可フラグに書き換えるための管理情報であるフラグ書換管理情報を出力する書換管理情報出力手段を有する
請求項１に記載の録画装置。
【請求項３】
前記予約部は、
非繰返録画予約情報を実行可否フラグと関連付けて保持する非繰返予約手段を有し、
前記予約休止実行判定部は、
実行否フラグと関連付けられた非繰返録画予約情報が録画実行時刻に記録部にて実行されていないとの判定である場合に、前記予約部に対してその非繰返録画予約情報を削除するための管理情報である削除管理情報を出力する削除管理情報出力手段を有する
請求項１又は２に記載の録画装置。
【請求項４】
前記予約休止実行判定部は、録画実行時刻として、録画開始時刻を利用して判定をする開始時刻基準判定手段を有する請求項１から３のいずれか一に記載の録画装置。
【請求項５】
前記予約休止実行判定部は、録画実行時刻として、録画終了時刻を利用して判定をする終了時刻基準判定手段を有する請求項１から３のいずれか一に記載の録画装置。
【請求項６】
録画予約情報を実行可否フラグと関連付けて保持する保持ステップと、
前記保持ステップで保持された録画予約情報が実行否フラグと関連付けられているかを判定する実行可否フラグ判定ステップと、
前記実行可否フラグ判定ステップにて実行否フラグと関連付けられているとの判定結果である録画予約情報が録画実行時刻に実行されたか判定する実行判定ステップと、
前記実行判定ステップでの判定結果に基づいて録画予約情報の管理を行う管理ステップと、
からなる録画装置の動作方法。
【請求項７】
前記保持ステップにて保持されている録画予約情報は、繰返録画予約情報であり、
前記管理ステップでは、録画予約情報である繰返録画予約情報が録画実行時刻に実行されなかったという判定結果である場合には、行なわれる管理が、その繰返録画予約情報に関連付けられている実行否フラグを実行可フラグに書き換えるとの書換管理である請求項６に記載の録画装置の動作方法。
【請求項８】
前記保持ステップにて保持されている録画予約情報は、非繰返録画予約情報であり、
前記管理ステップでは、録画予約情報である非繰返録画予約情報が録画実行時刻に実行されなかったという判定結果である場合には、行なわれる管理が、その非繰返録画予約情報を削除するとの削除管理である請求項６に記載の録画装置の動作方法。
【発明の詳細な説明】
【技術分野】
【０００１】
本発明は、予約休止機能を備えた録画装置の技術に関する。
【背景技術】
【０００２】
ＤＶＤレコーダや、ＨＤＤレコーダなどの録画装置における録画方法には、１回のみの録画を行う方法と、毎週あるいは毎日などの繰返し録画を行う方法がある。繰返し録画を行う方法においては、放送番組の変更などがあった場合には、その１回の録画のみを休止し、次回からはユーザが再度設定しなくても引き続き繰返し録画される機能を有するものがある。また、繰返し録画に限らず、録画実行時刻の重複を回避することを目的に、各録画予約情報に優先順位を付して、優先順位の最も高い録画予約情報にて録画予約されている番組のみ録画する機能を有するものがある（例えば、特許文献１）。特許文献１では、最も優先順位が高い録画予約情報が削除された場合には、次に優先順位の高い録画予約情報にて録画予約されている番組を録画することとしている。
【特許文献１】特開２００５−７９９９０
【発明の開示】
【発明が解決しようとする課題】
【０００３】
しかし、上記の技術であっても、録画が実行されなかった場合に適切な処理が行われていない。そのため、録画が実行されなかった１回のみの録画を行うための録画予約情報などは、実行不可能な過去の録画予約情報として録画再生装置の記録領域に残存してしまい、記憶領域の容量を無駄に消費してしまうという課題がある。また、録画予約情報に西暦などの年に関する情報が含まれていない場合には、１年後の同日の予約情報として録画再生装置が記憶してしまうという課題がある。
【課題を解決するための手段】
【０００４】
上記課題を解決するために、第一発明では、録画予約情報を実行可否フラグと関連付けて管理する予約部と、前記予約部の録画予約情報に基づいて録画を実行する記録部と、実行否フラグと関連付けられている録画予約情報が録画実行時刻に前記記録部にて実行されたかを判定し、その結果に基づいて前記予約部に管理情報を出力する予約休止実行判定部と、を有する録画装置を提案する。
【０００５】
第二発明では、第一発明に記載の録画装置であって、前記予約部は、繰返録画予約情報を実行可否フラグと関連付けて保持する繰返予約手段を有し、前記予約休止実行判定部は、実行否フラグと関連付けられた繰返録画予約情報が録画実行時刻に記録部にて実行されていないとの判定である場合に、前記予約部に対してその繰返録画予約情報と関連付けられている実行否フラグを実行可フラグに書き換えるための管理情報であるフラグ書換管理情報を出力する書換管理情報出力手段を有する録画装置を提案する。
【０００６】
第三発明では、第一発明又は第二発明に記載の録画装置であって、前記予約部は、非繰返録画予約情報を実行可否フラグと関連付けて保持する非繰返予約手段を有し、前記予約休止実行判定部は、実行否フラグと関連付けられた非繰返録画予約情報が録画実行時刻に記録部にて実行されていないとの判定である場合に、前記予約部に対してその非繰返録画予約情報を削除するための管理情報である削除管理情報を出力する削除管理情報出力手段を有する録画装置を提案する。
【０００７】
第四発明では、第一発明から第三発明のいずれか一に記載の録画装置であって、前記予約休止実行判定部は、録画実行時刻として、録画開始時刻を利用して判定をする開始時刻基準判定手段を有する録画装置を提案する。
【０００８】
第五発明では、第一発明から第三発明のいずれか一に記載の録画装置であって、前記予約休止実行判定部は、録画実行時刻として、録画終了時刻を利用して判定をする終了時刻基準判定手段を有する録画装置を提案する。
【０００９】
第六発明では、録画予約情報を実行可否フラグと関連付けて保持する保持ステップと、前記保持ステップで保持された録画予約情報が実行否フラグと関連付けられているかを判定する実行可否フラグ判定ステップと、前記実行可否フラグ判定ステップにて実行否フラグと関連付けられているとの判定結果である録画予約情報が録画実行時刻に実行されたか判定する実行判定ステップと、前記実行判定ステップでの判定結果に基づいて録画予約情報の管理を行う管理ステップと、からなる録画装置の動作方法を提案する。
【００１０】
第七発明では、第六発明に記載の録画装置の動作方法であって、前記保持ステップにて保持されている録画予約情報は、繰返録画予約情報であり、前記管理ステップでは、録画予約情報である繰返録画予約情報が録画実行時刻に実行されなかったという判定結果である場合には、行なわれる管理が、その繰返録画予約情報に関連付けられている実行否フラグを実行可フラグに書き換えるとの書換管理である録画装置の動作方法を提案する。
【００１１】
第八発明では、第六発明に記載の録画装置の動作方法であって、前記保持ステップにて保持されている録画予約情報は、非繰返録画予約情報であり、前記管理ステップでは、録画予約情報である非繰返録画予約情報が録画実行時刻に実行されなかったという判定結果である場合には、行なわれる管理が、その非繰返録画予約情報を削除するとの削除管理である録画装置の動作方法を提案する。
【発明の効果】
【００１２】
以上のような構成をとる本発明の録画装置では、録画が実行されなかった場合において、録画予約情報を適切に管理することができる。また、繰返録画予約においては、１回休止後に録画実行時刻に基づいて再度、繰返録画可能とすることができる。さらに、録画が実行されなかった１回のみの録画を行うための録画予約情報を、ユーザが操作しなくても削除することができる。従って、記憶領域には無駄な録画予約情報が残存せず、記憶領域を有効に活用することができる。また、ユーザは、いちいち実行されなかった録画予約情報を消去する手間が省けるため、煩わしさを感じることも無い。
【発明を実施するための最良の形態】
【００１３】
以下に、図を用いて本発明の実施の形態を説明する。なお、本発明はこれら実施の形態に何ら限定されるものではなく、その要旨を逸脱しない範囲において、種々なる態様で実施しうる。なお、実施形態１は主に請求項１、６について説明する。実施形態２は主に請求項２、７について説明する。実施形態３は主に請求項３、８について説明する。実施形態４は主に請求項４、５について説明する。
【００１４】
≪実施形態１≫（実施形態１の概念）図１１は一般的な録画装置における録画予約処理フローである。図１１を用いて本実施形態における録画装置の概念を説明する。一般的な録画装置においては、まず、録画予約情報を入力するか否かの選択をする（Ｓ１１０１）。録画予約情報の入力を行う場合には、録画開始日時、録画終了日時、録画するチャンネル等を入力し（Ｓ１１０２）、入力した録画予約情報をメモリ領域にて保存する（Ｓ１１０３）。録画装置では、メモリ領域に蓄積された録画予約情報を絶えず参照し（Ｓ１１０４）、録画予約情報の録画開始時刻となると（Ｓ１１０５）、録画予約情報どおりに録画を実行する（Ｓ１１０６）。録画実行後、録画装置では、録画予約情報を再び参照し続ける。
【００１５】
以上のとおり、メモリ領域に蓄積されている録画予約情報は、削除されないまま残存していると、たとえ録画開始時刻を過ぎてしまった録画予約情報であっても、絶えず参照されてしまう。また、録画予約情報は、メモリ領域に格納可能な最大件数が限られているため、無駄な録画予約情報は、格納可能な録画予約情報の件数を圧迫してしまう。
【００１６】
そこで、本実施形態では、録画予約情報が録画実行時刻において実行されたか否かに応じて、録画予約情報を管理する録画装置の技術に関する。
【００１７】
（実施形態１の構成）図１に示すのは、本実施形態の録画装置の機能ブロック図の一例を表す図である。この図１にあるように、本実施形態の「録画装置」（０１００）は、「予約部」（０１０１）と、「記録部」（０１０２）と、「予約休止実行判定部」（０１０３）と、を有する。
【００１８】
（実施形態１の構成の説明）「録画装置」（０１００）とは、録画予約情報に基づいて放送番組を録画する装置である。録画する放送番組は、地上デジタル放送、地上アナログ放送、ＣＳ放送、ＢＳ放送等の放送番組であり、録画可能なものであれば、これらに限られない。
【００１９】
「予約部」（０１０１）は、録画予約情報を実行可否フラグと関連付けて管理するように構成されている。「管理する」とは、追加、修正、削除などを行うことをいう。予約部では、後述する管理情報に基づいて新たな録画予約情報を追加したり、追加した録画予約情報を修正したり、追加した録画予約情報を削除したりすることなどができる。図２に示すように、予約部は、録画予約情報と録画予約情報の管理を行うための管理プログラムとを記憶するための不揮発性メモリ（０２０３）と、管理プログラムを実行するためのＣＰＵ（０２０１）と、管理プログラムを実行するために必要なワーク領域を有する揮発性メモリ（０２０２）とからなる。
【００２０】
「録画予約情報」とは、放送番組を録画するための情報である。録画予約情報に含まれる情報としては、録画チャンネル、録画開始日、録画開始時刻、録画終了時刻、実行可否フラグ、繰返録画の有無などを含む情報である。また、これらの情報の他にＧコードやiEPG（Ｉｎｔｅｒｎｅｔ Ｅｌｅｃｔｒｏｎｉｃ Ｐｒｏｇｒａｍ Ｇｕｉｄｅ）を含めてもよいが、ＧコードやiEPG自体にはいずれにしても録画チャンネル、録画開始日、録画開始時刻、録画終了時刻などの情報が既に含まれている。
【００２１】
図３（ａ）に録画予約情報をテーブルで管理した場合を例示する。図３（ａ）では、録画予約情報として、ＩＤ、ＣＨ（チャンネル）、録画開始日、録画開始時刻、録画終了日、録画終了時刻、記録先デバイス、実行可否フラグ、繰返録画情報が含まれている。
【００２２】
「記録先デバイス」とは、録画した映像信号情報をどの媒体に記録するかに関する情報である。例えば、記録先デバイスが「１」なら記録先デバイスを「ＨＤＤ」にし、「２」なら「ＤＶＤ」にするなどと設定することができる。
【００２３】
「実行可否フラグ」とは、前記録画予約情報を実行するか否かを示す情報である。実行可フラグが関連付けられている録画予約情報は、録画開始時刻になると記録部により録画が開始される。一方、実行否フラグが関連付けられている録画予約情報は、録画開始時刻になっても録画が開始されない。図３（ａ）では、録画予約情報に実行可フラグが関連付けられている場合には「１」が格納され、実行否フラグが関連付けられている場合には「０」が格納される。
【００２４】
「繰返録画情報」とは、繰返録画を行うか否かに関する情報である。図３（ａ）では、繰返録画を行わない場合には「０」を格納し、繰返録画を行う場合には、次のようなルールを設けて数値あるいは文字を格納する。例えば、毎週繰返し録画を行う場合には、繰返録画情報には曜日に関する情報を格納する。曜日に関する情報は、月曜日から日曜日までを「１」〜「７」の数字などで表すことができる。また、毎日繰り返し録画を行う場合には、繰返録画情報として「８」を格納することで表すことができる。
【００２５】
「記録部」（０１０２）は予約部の録画予約情報に基づいて録画を実行するように構成されている。図２に示すように、記録部は、映像信号情報と映像信号情報を記録するための記録プログラムとを記憶するための不揮発性メモリ（０２０３）と、記録プログラムを実行するためのＣＰＵ（０２０１）と、記録プログラムを実行するために必要なワーク領域と記録する映像信号情報を一時的に記憶する領域を有する揮発性メモリ（０２０２）と、時間情報を取得するための内部時計（０２０４）などからなる。記録部では、実行可フラグと関連付けられている録画予約情報について、内部時計から取得した時間情報と録画開始日の録画開始時刻とを比較して、録画開始時刻になると、録画予約情報にて特定されているチャンネルからの映像信号情報を不揮発性メモリに格納する。このとき、一時的に映像信号情報を揮発性メモリに格納してもよい。
【００２６】
「予約休止実行判定部」（０１０３）は、実行否フラグと関連付けられている録画予約情報が、録画実行時刻に記録部にて実行されたかを判定し、その結果に基づいて前記予約部に管理情報を出力するように構成されている。図２に示すように、予約休止実行判定部は、録画予約情報が録画実行時刻に記録部にて実行されたかを判定する判定プログラムを記憶し、判定結果に基づいた管理情報を格納する不揮発性メモリ（０２０３）と、判定プログラムを実行するためのCPU（０２０１）と、判定プログラムを実行するために必要なワーク領域と判定プログラムでの判定結果を一時的に保存する記憶領域とからなる揮発性メモリ（０２０２）と、録画予約情報が録画実行時刻に実行されたか否かの判定を行うための内部時計（０２０４）などを有する。
【００２７】
録画予約情報が録画実行時刻に記録部にて実行されたか否かの判定方法については、種々の方法が考えられる。例えば、録画予約情報の録画開始時刻に上記録画プログラムが起動した場合に録画予約情報が実行されたと判定してもいいし、録画予約情報の録画終了時刻に上記録画プログラムが終了した場合に録画予約情報が実行されたと判定してもいいし、これらの両者が行われた場合に実行されたと判定してもいい。なお、予約休止実行判定部では、実行否フラグと関連付けられている録画予約情報について録画が実行されたか否かの判定を行うため、通常は実行されていないとの判定結果であることが予想される。しかし、録画時刻が重複する複数の録画予約情報が、優先順位が付されて存在する場合などには、優先順位が上位の録画予約情報が削除されることで、実行否フラグと関連付けられている録画予約情報であっても実行される可能性がある。また、ユーザが録画開始時刻直前、あるいは録画開始時刻経過後であって録画終了時刻経過前までに、手動で録画装置に備えられた録画開始ボタンを押して録画を開始する可能性がある。このような場合のために、予約休止実行判定部において録画予約情報が実行されたか否かの判定を行う。
【００２８】
予約休止実行判定部では、このようにして判定した結果に基づいて、前記予約部に管理情報を出力する。管理情報とは、予約部にて録画予約情報を管理するための命令に関する情報などを含む情報である。具体的には、以下のような情報が含まれる。録画予約情報の追加命令、削除命令、修正命令、録画結果の通知命令、録画結果の表示命令、優先順位の変更命令、同時間帯番組検索命令、ネットワーク接続された他の録画装置にて記憶されている未視聴の録画番組の検索命令などである。
【００２９】
なお、以下に、判定結果に基づいた管理情報として削除命令を出力する場合を、図４を用いて具体的に説明する。
【００３０】
予約休止実行判定部では、判定プログラムにより録画予約情報が記録部にて実行されたか否かについて判定し（Ｓ０４０１）、録画が実行されたとの判定結果が得られた場合には、「録画が終了した後に録画予約情報を直ちに削除する」という管理情報を前記予約部に出力する（Ｓ０４０２）。録画が実行される際には、録画装置のシステム電源はONとなっているため、予約部に管理されている録画予約情報は、管理情報により録画終了後に直ちに削除される。
【００３１】
なお、システム電源とは、管理プログラムや記録プログラムを起動するために必要な電源である。また、録画装置では、システム電源とは別に主電源を有する。システム電源がOFFとなっている場合であっても、主電源がONとなっている状態であれば、実行可フラグと関連付けられた録画予約情報の録画開始時刻になると、録画装置ではシステム電源をONにするなどの動作を行うことができる。
【００３２】
一方、判定プログラムにより録画が実行されなかったとの判定結果が得られた場合には、次のような処理を行う。他の録画予約情報による録画が実行されていたり、録画した番組を再生したりしているなどで判定プログラムの判定時に録画装置のシステム電源がONとなっている場合には、「録画予約情報を直ちに削除する」という管理情報を前記予約部に出力する（Ｓ０４０４）。予約部に管理されている録画予約情報は、管理情報により直ちに削除される。また、判定プログラムによる判定時に録画装置のシステム電源がOFF、主電源がONとなっていた場合には、「システム電源ON後に録画予約情報を削除する」という管理情報を前記予約部に出力する（Ｓ０４０５）。予約部に管理されている録画予約情報は、管理情報によりシステム電源ON後に削除される。予約部では、一時的にシステム電源をONにして録画予約情報を削除してもよいし、ユーザによりシステム電源がONにされるのを待って、録画予約情報を削除してもよい。なお、上記例では、判定プログラムは、システム電源がOFFの場合であっても起動することとしたが、システム電源がOFFの場合には動作せずに、システム電源ONとなった直後に起動することとしてもよい。
【００３３】
以上のように、予約休止実行判定部では、録画装置の状況に応じた管理情報を予約部に出力することができる。なお、上記例は、予約休止実行判定部の機能を表す一例であり、これらの機能に限られない。
【００３４】
（実施形態１の処理の流れ）図５に示すのは、本実施形態の録画装置の処理の流れの一例を表すフローチャートである。本実施形態にかかる録画装置では、まず、録画予約情報を実行可否フラグと関連付けて保持する（Ｓ０５０１：保持ステップ）。次に、前記保持ステップで保持された録画予約情報が実行否フラグと関連付けられているかを判定する（Ｓ０５０２：実行可否フラグ判定ステップ）。次に、前記実行可否フラグ判定ステップにて実行否フラグと関連付けられているとの判定結果である録画予約情報が録画実行時刻に実行されたか判定する（Ｓ０５０３：実行判定ステップ）。次に、前記実行判定ステップでの判定結果に基づいて録画予約情報の管理を行う（Ｓ０５０４：管理ステップ）。以上のようにして、録画装置の録画予約情報が管理される。
【００３５】
（実施形態１の効果の簡単な説明）以上のように、本実施形態の録画装置では、録画実行時刻を経過後において、録画予約情報が実行されなかった場合に応じて、種々の管理情報により録画予約情報を管理することができる。
【００３６】
≪実施形態２≫  （実施形態２の概念）本実施形態の録画装置は、実施形態１の録画装置を基本とし、さらに、録画予約情報が繰り返し録画を行うための繰返録画予約情報である場合には、録画の休止後に再度繰り返し録画を行うように設定する技術に関する。
【００３７】
（実施形態２の構成）図６に示すのは、本実施形態の録画装置の機能ブロックの一例を表す図である。この図６にあるように、本実施形態の「録画装置」（０６００）は、「予約部」（０６０１）と、「記録部」（０６０２）と、「予約休止実行判定部」（０６０３）と、を有する。これらの構成については、実施形態１にて説明済みであるため説明を省略する。本実施形態にかかる録画装置では、さらに、予約部に「繰返予約手段」（０６０４）と、予約休止実行判定部に「書換管理情報出力手段」（０６０５）とを有することを特徴とする。
【００３８】
（実施形態２の構成の説明）「繰返予約手段」（０６０４）は、繰返録画予約情報を実行可否フラグと関連付けて保持する手段である。
【００３９】
「繰返録画予約情報」とは、毎日決まった時刻や、毎週決まった曜日の時刻などに定期的に録画を行うための録画予約情報である。繰返録画予約情報には、繰返録画情報が含まれる。繰返録画情報とは、毎日あるいは毎週特定曜日に繰り返し録画を行うことを表す情報である。図３（ａ）に示す録画予約情報を管理したテーブルでは、ＩＤ０２、０３の録画予約情報の繰返録画情報欄に数値が格納されている。これは、前述したとおり、毎日あるいは毎週特定の曜日に録画が実行されるように設定されていることを表している。
【００４０】
「書換管理情報出力手段」（０６０５）とは、実行否フラグと関連付けられた繰返録画予約情報が録画実行時刻に記録部にて実行されていないとの判定である場合に、予約部に対してその繰返録画予約情報と関連付けられている実行否フラグを実行可フラグに書き換えるための管理情報であるフラグ書換管理情報を出力する手段である。
【００４１】
例えば、毎週放送されている番組のある週において放送内容の変更があり、録画を休止したい場合などに、繰返録画予約情報に実行否フラグを関連付ける場合がある。この場合には、次週の放送は予定通り行われると予想されるため、録画実行時刻を過ぎた休止した繰返録画予約情報は、次週に備えて実行可フラグと関連付けておくことが望ましい。従って、繰返録画予約情報が録画実行時刻に記録部にて実行されていないと予約休止実行判定部にて判定されると、書換管理情報出力手段では、予約部に対してその繰返録画予約情報と関連付けられている実行否フラグを実行可フラグに書き換えるための管理情報であるフラグ書換管理情報を出力する。
【００４２】
図３（ｂ）にフラグ書換管理情報の具体例を示す。図３（ｂ）は、録画予約情報を書き換える命令をＸＭＬにて記述した場合の一例である。図３（ｂ）では、図３（ａ）の録画予約情報が管理されているテーブルに対して、「録画予約情報ＩＤ＝０３の録画予約情報の、８番目のカラムである実行可否フラグを「１」に変更せよ」との命令を表している。このようにして、実行可否フラグを書き換えることができる。
【００４３】
（実施形態２の処理の流れ）図７に示すのは、本実施形態における録画装置の処理の流れの一例を表すフローチャートである。本実施形態にかかる録画装置では、まず、繰返録画予約情報を実行可否フラグと関連付けて保持する（保持ステップ：Ｓ０７０１）。次に、前記保持ステップにて保持された繰返録画予約情報が実行否フラグと関連付けられているかを判定する（実行可否フラグ判定ステップ：Ｓ０７０２）。次に、前記実行可否フラグ判定ステップにて実行否フラグと関連付けられているとの判定結果である繰返録画予約情報が、録画実行時刻に実行されたかを判定する（実行判定ステップ：Ｓ０７０３）。前記実行判定ステップにおいて、繰返録画予約情報が録画実行時刻に実行されなかったという判定結果である場合には、その繰返録画予約情報に関連付けられている実行否フラグを実行可フラグに書き換えるとの書換管理を行う（管理ステップ：Ｓ０７０４）。
【００４４】
なお、判定ステップ（Ｓ０７０３）において、繰返録画予約情報が実行されたとの判定結果である場合にも、次回の繰返録画予約を有効にしておくために、実行可フラグを関連付けておくことが望ましい。
【００４５】
（実施形態２の効果の簡単な説明）以上のように、本実施形態の録画装置では、録画が実行されなかった繰返録画予約情報であっても、ユーザが操作することなく実行可フラグを関連付けることができる。従って、ユーザは、いちいち実行否フラグと関連付けられた繰返録画予約情報に実行可フラグを関連付けし直す手間が省ける。このため、ユーザの操作性が向上する。
【００４６】
≪実施形態３≫（実施形態３の概念）本実施形態の録画装置は、実施形態１の録画装置を基本とし、さらに、録画予約情報が１回のみの録画を行うための録画予約情報である場合には、実行されなかった録画予約情報を削除する技術に関する。
【００４７】
（実施形態３の構成）図８に示すのは、本実施形態の録画装置の機能ブロックの一例を表す図である。この図８にあるように、本実施形態の「録画装置」（０８００）は、「予約部」（０８０１）と、「記録部」（０８０２）と、「予約休止実行判定部」（０８０３）と、を有する。これらの構成については、実施形態１にて説明済みであるため説明を省略する。本実施形態にかかる録画装置では、さらに、予約部に「非繰返予約手段」（０８０４）と、予約休止実行判定部に「削除管理情報出力手段」（０８０５）とを有することを特徴とする。また、実施形態２の機能を追加する場合には、対応する構成を追加する。
【００４８】
（実施形態３の構成の説明）「非繰返予約手段」（０８０４）は、非繰返録画予約情報を実行可否フラグと関連付けて保持する手段である。
【００４９】
「非繰返録画予約情報」とは、１回のみの録画を行うための録画予約情報である。繰返録画予約情報とは、繰返録画情報を含まない点で異なる。図３（ａ）に示す録画予約情報を管理したテーブルでは、ＩＤ０１、０４の録画予約情報の繰返録画情報欄には、「０」が格納されている。これは、前述したとおり、繰り返し録画を行わずに、１回のみの録画をするように設定されていることを表している。
【００５０】
「削除管理情報出力手段」（０８０５）とは、実行否フラグと関連付けられた非繰返録画予約情報が録画実行時刻に記録部にて実行されていないとの判定である場合に、予約部に対してその非繰返録画予約情報を削除するための管理情報である削除管理情報を出力する手段である。
【００５１】
例えば、同一時間帯に異なる２つの放送番組の録画予約をした場合には、一方の録画予約を休止させるために、非繰返録画予約情報に実行否フラグと関連付ける場合がある。この場合には、録画実行時刻を過ぎた休止させた非繰返録画予約情報に基づいて記録部にて録画が行われることはもはやないため、この非繰返録画予約情報を削除することが望ましい。従って、予約休止実行判定部にて非繰返録画予約情報が録画実行時刻に記録部にて実行されていないと判定されると、削除管理情報出力手段では、予約部に対してその非繰返録画予約情報を削除するための管理情報である削除管理情報を出力する。
【００５２】
（実施形態３の処理の流れ）図９に示すのは、本実施形態における録画装置の処理の流れの一例を表すフローチャートである。本実施形態にかかる録画装置では、まず、非繰返録画予約情報を実行可否フラグと関連付けて保持する（保持ステップ：Ｓ０９０１）。次に、前記保持ステップにて保持された非繰返録画予約情報が実行否フラグと関連付けられているかを判定する（実行可否フラグ判定ステップ：Ｓ０９０２）。次に、前記実行可否フラグ判定ステップにて実行否フラグと関連付けられているとの判定結果である非繰返録画予約情報が、録画実行時刻に実行されたかを判定する（実行判定ステップ：Ｓ０９０３）。前記実行判定ステップにおいて、非繰返録画予約情報が録画実行時刻に実行されなかったという判定結果である場合には、その非繰返録画予約情報を削除するとの削除管理を行う（管理ステップ：Ｓ０９０４）。
【００５３】
なお、判定ステップ（Ｓ０９０３）において、非繰返録画予約情報が実行されたとの判定結果である場合には、非繰返録画予約情報が残存しないように、録画終了時刻経過後（Ｓ０９０５）に削除することが望ましい。
【００５４】
（実施形態３の効果の簡単な説明）以上のように、本実施形態の録画装置または録画予約情報の管理方法では、録画が実行されなかった非繰返録画予約情報を、ユーザが操作することなく削除することができる。従って、記憶領域には無駄な非繰返録画予約情報が残存することなく、記憶領域を有効に活用することができる。また、ユーザは、いちいち実行されなかった非繰返録画予約情報を消去する手間が省けるため、煩わしさを感じることも無い。
【００５５】
≪実施形態４≫  （実施形態４の概念）本実施形態の録画装置は、実施形態１乃至３に記載の録画装置を基本とし、さらに、録画実行時刻として録画開始時刻あるいは録画終了時刻を利用して判定する技術に関する。
【００５６】
（実施形態４の構成）図１０に示すのは、本実施形態の録画装置の機能ブロックの一例を表す図である。この図１０にあるように、本実施形態の「録画装置」（１０００）は、「予約部」（１００１）と、「記録部」（１００２）と、「予約休止実行判定部」（１００３）と、を有する。これらの構成については、実施形態１にて説明済みであるため説明を省略する。本実施形態にかかる録画装置では、さらに、予約休止実行判定部は、録画実行時刻として、録画開始時刻を利用して判定する「開始時刻基準判定手段」（１００４）、あるいは、録画終了時刻を利用して判定をする「終了時刻基準判定手段」（１００５）を有することを特徴とする。
【００５７】
（実施形態４の構成の説明）「開始時刻基準判定手段」（１００４）とは、予約休止実行判定部における録画実行時刻として、録画開始時刻を利用して判定をする手段をいう。録画開始時刻とは、記録部における録画の実行を開始する時刻である。開始時刻基準判定手段では、録画装置の内部時計から取得した現在時刻に関する情報と、録画予約情報に含まれている録画開始時刻とを比較し、現在時刻が録画開始時刻を経過した時点においてその録画予約情報が記録部に実行されたか否かを判定する。
【００５８】
予約部では、予約休止実行判定部からの管理情報に対して処理を行うためには、システム電源を一時的にONにするか、システム電源がONとなるのを待って処理を行わなければならない。しかし、録画開始時刻において他の録画予約情報の録画時刻と重複していた場合には、他の録画予約情報に基づく録画を行うため、録画装置のシステム電源はONとなっている。従って、予約部では、予約休止実行判定部からの管理情報に対して、即座に処理を行うことができる。
【００５９】
「終了時刻基準判定手段」（１００５）とは、予約休止実行判定部における録画実行時刻として、録画終了時刻を利用して判定をする手段をいう。録画終了時刻とは、記録部における録画が終了する時刻である。終了時刻基準判定手段では、録画装置の内部時計から取得した現在時刻に関する情報と、録画予約情報に含まれている録画終了時刻とを比較し、現在時刻が録画終了時刻を経過した時点においてその録画予約情報が記録部に実行されたか否かを判定する。
【００６０】
開始時刻基準判定手段の場合と同様に、終了時刻基準判定手段では、録画終了時刻において他の録画予約情報の録画時刻と重複していた場合には、予約部では、予約休止実行判定部からの管理情報に対して、即座に処理を行うことができる。
【００６１】
（実施形態４の効果の簡単な説明）以上のように、本実施形態の録画装置では、予約休止実行判定部における録画実行時刻として録画開始時刻あるいは録画終了時刻を利用することで、録画が実行されなかった録画予約情報をユーザが操作することなく効率的に削除することができる。
【図面の簡単な説明】
【００６２】
【図１】実施形態１の機能ブロック図
【図２】実施形態１のハードウェア構成を例示する図
【図３】録画予約情報を説明する図
【図４】予約休止実行判定部が出力する管理情報を説明する図
【図５】実施形態１の処理フローを表す図
【図６】実施形態２の機能ブロック図
【図７】実施形態２の処理フローを表す図
【図８】実施形態３の機能ブロック図
【図９】実施形態３の処理フローを表す図
【図１０】実施形態４の機能ブロック図
【図１１】一般的な録画装置における録画予約処理フローを表す図
【符号の説明】
【００６３】
０１００    録画装置
０１０１    予約部
０１０２    記録部
０１０３    予約休止実行判定部
０６０４    繰返予約手段
０６０５    書換管理情報出力手段
０８０４    非繰返予約手段
０８０５    削除管理情報出力手段
Ｓ０５０１  保持ステップ
Ｓ０５０２  実行可否フラグ判定ステップ
Ｓ０５０３  実行判定ステップ
Ｓ０５０４  管理ステップ
【図１】
0004482509.tif 000002
【図２】
0004482509.tif 000003
【図３】
0004482509.tif 000004
【図４】
0004482509.tif 000005
【図５】
0004482509.tif 000006
【図６】
0004482509.tif 000007
【図７】
0004482509.tif 000008
【図８】
0004482509.tif 000009
【図９】
0004482509.tif 000010
【図１０】
0004482509.tif 000011
【図１１】
0004482509.tif 000012